(57)【要約】【課題】枕の高さを簡易に調整することが出来、また適度なクッション性が得られるとともに、荷重が分散されて頭部や首筋が圧迫されず、また、内部に湿気や熱がこもらないようにする。【解決手段】芯材２の上面と下面にクッション層３を積層した枕１を構成し、芯材２として、連続気泡のフォーム材６の周囲に気密性シート素材５ａ、５ｂを接着して密封包囲し、且つ所定部位に空気取り入れ口７を設けて栓体８を着脱自在にするとともに、クッション層３として、高通気性素材の低反発ポリウレタンフォームまたはソフトフォームを使用する。また、芯材２として一定空間を密封包囲する気嚢体としても良い。【選択図】　　　図３
2004089595.tif 000002
【特許請求の範囲】
【請求項１】
芯材の上面と下面にクッション層が積層される枕であって、前記芯材は、連続気泡のフォーム材の周囲に気密性シート素材が接着されて密封包囲され、且つ所定部位に空気取り入れ口が形成されて栓体が着脱自在にされたものであり、前記クッション層は低反発ポリウレタンフォームまたはソフトポリウレタンフォームであることを特徴とする枕。
【請求項２】
芯材の上面と下面にクッション層が積層される枕であって、前記芯材は、気密性シート素材によって一定空間が密封包囲され、且つ所定部位に空気取り入れ口が形成されて栓体が着脱自在にされた気嚢体であり、前記クッション層は、低反発ポリウレタンフォームまたはソフトポリウレタンフォームであることを特徴とする枕
【請求項３】
前記クッション層の低反発ポリウレタンフォームまたはソフトポリウレタンフォームは、高通気性素材であることを特徴とする請求項１又は請求項２に記載の枕。
【発明の詳細な説明】
【０００１】
【発明の属する技術分野】
本発明は、高さを簡易に調整することができ且つクッション性も良好な枕に関する。
【０００２】
【従来の技術】
従来、自分の好みに合わせて枕の高さを自由に調整出来るようにした枕として、例えば、枕袋体に収容される複数の枕芯体ユニットを出入れ可能にするとともに、各枕芯体ユニットの内部に充填されているソバガラ等の充填材を調整出来るようにした組合せ枕が知られており、このような枕では、充填材の増減と、枕芯体ユニットの数の調整によって枕の高さを調整するようにしている。（例えば、特許文献１参照。）。
【０００３】
【特許文献１】
登録実用新案第３０１１４９９号公報
【０００４】
【発明が解決しようとする課題】
ところが、上記のように充填材を増減したり、枕芯体ユニットの数を調整したりして枕の高さを変える作業は、手間がかかって煩わしいという問題がある。
また、枕の条件としては、適度なクッション性が得られるとともに、荷重が分散されて頭部や首筋が圧迫されず、内部にこもる湿気や熱が発散できればより好ましい。
【０００５】
そこで本発明は、枕の高さを簡易に調整することが出来、また適度なクッション性が得られるとともに、荷重が分散されて頭部や首筋が圧迫されず、また、内部に湿気や熱がこもらないような枕を提供することを目的とする。
【０００６】
【課題を解決するための手段】
上記目的を達成するため本発明は、芯材の上面と下面にクッション層が積層される枕において、前記芯材として、連続気泡のフォーム材の周囲に気密性シート素材を接着して密封包囲し、且つ所定部位に空気取り入れ口を設けて栓体を着脱自在にし、前記クッション層を低反発ポリウレタンフォームまたはソフトポリウレタンフォームとした。
【０００７】
このように、芯材として、連続気泡のフォーム材の周囲に気密性シート素材を接着して密封包囲し、所定部位に空気取り入れ口を設けるとともに、この空気取り入れ口に栓体を着脱自在にすれば、空気取り入れ口から充気または脱気調整するだけで枕の高さを変えることが出来、また、芯材として、密封空気の弾力性と、内部のフォーム材の弾力性とがバランスされたクッション性が得られるようになり、上下のクッション層の弾力性と相俟って適度なクッション性が確保される。
【０００８】
ここで、連続気泡のフォーム材の周囲に気密性シートを接着して密封包囲し、所定箇所に空気取り入れ口を形成した芯材としては、例えば本出願人の提案に係る特許第２９８７０３６号のような自己膨張型のフォーム包囲体等が適用可能であり、連続気泡のフォーム材としては、例えば引張り強度０．５ｋｇ／ｃｍ２以上、伸び率１５０％以上、引き裂き強度０．２０ｋｇ以上、反発弾性３０％以上の特性を有するウレタン、ポリエステル、ＰＶＣ、ポリエチレン、ポリブタジエン、ラバー等のフォーム材が使用できる。また、気密性シート素材としては、塩ビや、ポリエチレンや、ポリアセテートや、ポリビニルアルコール等のシートが好適であり、これらを接着する接着剤としては、エポキシ系、アクリル系、ゴム系、ウレタン系等の公知の熱硬化型接着剤が好適である。
【０００９】
また、クッション層の低反発ポリウレタンフォームとは、ＪＩＳ　Ｋ　６４００（１９９７）のＡ法で測定した反発弾性率が１〜２０％のポリウレタンフォームをいい、ソフトポリウレタンフォームとは、硬さが７５Ｎ以下のポリウレタンフォームをいう。
そしてクッション層を低反発ポリウレタンフォームまたはソフトポリウレタンフォームにすることで、ソフト感が得られて感触性が良好となり、しかも荷重が均等に分散して頭部や首筋に圧迫感がない。
この際、クッション層の一方側を低反発ポリウレタンフォームとし、他方側をソフトポリウレタンフォームとする等によって両者を組合せるようにしても良い。
【００１０】
また本発明では、芯材の上面と下面にクッション層が積層される枕において、前記芯材として、気密性シート素材によって一定空間が密封包囲され、且つ所定部位に空気取り入れ口が形成されて栓体が着脱自在にされる気嚢体とし、前記クッション層を、低反発ポリウレタンフォームまたはソフトポリウレタンフォームとした。
【００１１】
このように、芯材として、空気取り入れ口から空気を出し入れ調整可能な気嚢体とし、その上下面にクッション層を積層すれば、気嚢体への空気の出し入れにより枕の高さを簡易に調整出来るとともに、芯材として、密封空気の弾力性によるクッション性が得られるようになり、上下のクッション層の弾力性と相俟って適度なクッション性が確保される。
【００１２】
また本発明では、前記クッション層の低反発ポリウレタンフォームまたはソフトポリウレタンフォームを高通気性素材にするようにした。
このように、クッション層の低反発ポリウレタンフォームまたはソフトポリウレタンフォームを高通気性素材にすれば、枕に汗の湿気や熱がこもることなく爽快感が得られる。
【００１３】
ここで、高通気のポリウレタンフォームとしては、ＪＩＳ　Ｋ　６４００（１９９７）のＢ法に準拠する方法で測定した通気度が１〜４．７ｄｍ３／ｓのものをいい、例えば本出願人の提案に係る特願２００２−１９４１３２号のような低反発弾性ポリウレタンフォーム等が適用可能である。
【００１４】
【発明の実施の形態】
本発明の実施の形態について添付した図面に基づき説明する。
ここで、図１は本発明に係る枕の第１構成例の斜視図、図２は同枕の内部構造を示す分解斜視図、図３は同枕の断面図、図４は芯材の成形要領の一例の説明図、図５は枕の第２構成例の説明図である。
【００１５】
本発明に係る枕は、高さを簡易に調整することが出来、また適度なクッション性が得られるとともに、荷重が分散されて頭部や首筋が圧迫されず、また、内部に湿気や熱がこもらないような枕として構成され、芯材として、フォーム材を密封包囲したフォーム包囲体、または一定空間を密封包囲する気嚢体に空気取り入れ口を形成し、この空気取り入れ口に着脱自在な栓体を設けるようにしている。
【００１６】
すなわち、本枕１の第１構成例は、図１乃至図３に示すように、芯材２の上面と下面にクッション層３が積層され、周囲が側生地４で覆われるような枕１において、前記芯材２を自己膨張型のフォーム包囲体とし、このフォーム包囲体の一部に空気取り入れ口７を設けるとともに、この空気取り入れ口７に着脱自在な栓体８を設け、また、クッション層３を低反発ポリウレタンフォームまたはソフトポリウレタンフォームとしている。
【００１７】
前記芯材２は、本実施例の場合、本出願人の提案に係る特許第２９８７０３６号のフォーム包囲体を使用しており、表裏２枚の気密性シート素材５ａ、５ｂで、連続気泡のフォーム材６を挟み込むように密封包囲するとともに、気密性シート素材５ａ、５ｂとフォーム材６の接触面を全域に亘って接着し、所定箇所に空気取り入れ口７を形成したものである。
【００１８】
以下、その構造の理解を容易にするため、芯材２の製造方法の一例について図４に基づき説明すると、ロール１１、１２から送り出される気密性シート素材５ａ、５ｂの片面側全域に、接着剤塗布ローラ１３により熱硬化型接着剤を塗布し、その下流で、接着剤塗布面より幅狭なフォーム材６を所定間隔置きに連続的に投入し、ラミネートローラ１４によって、フォーム材６が挟まれた状態のラミネート品を製造する。そして、このように連続的に成形されるラミネート品が所定間隔置きに裁断されると、上下の気密性シート素材５ａ、５ｂによってフォーム材６が包み込まれるとともに、フォーム材６と気密性シート素材５ａ、５ｂの接触面が全域に亘って接着され、また、フォーム材６の外側部分で気密性シート素材５ａ、５ｂ同士が接着されて内部が密封包囲されるフォーム包囲体が得られる。
【００１９】
次いで、気密性シート素材５ａ、５ｂの周縁接着部の一部を部分的に切除し、必要に応じてパイプ等を使用して空気取り入れ口７を形成すると、それまで偏平状態に潰されていた連続気泡のフォーム材６は空気を吸って弾性力により自己膨張し、立体的な形状に変化する。そしてこの空気取り入れ口７に栓体８を着脱自在にしている。尚、本実施例では、栓体８を空気取り入れ口７のパイプ等に連結することにより、紛失防止を図っている。
【００２０】
ここで、本実施例の場合、連続気泡のフォーム材６としては、引張り強度０．６〜２ｋｇ／ｃｍ２、伸び率１５０〜２００％、引き裂き強度０．２７〜０．８ｋｇの特性を有する軟質ポリウレタンフォームを使用し、また、気密性シート素材５ａ、５ｂとしては、塩ビを使用するとともに、自己膨張した状態で、中央部分が若干窪んだ状態の芯材２が形成されるようにしている。
【００２１】
前記クッション層３は、低反発ポリウレタンフォームまたはソフトポリウレタンフォームを使用するようにしており、本実施例の場合、ＪＩＳ　Ｋ　６４００（１９９７）のＡ法に準拠する方法で測定した反発弾性率が１〜２０％の低反発ポリウレタンフォームで、且つＪＩＳ　Ｋ　６４００（１９９７）のＢ法に準拠する方法で測定した通気度が１〜４．７ｄｍ３／ｓの高通気性ポリウレタンフォームにしている。
【００２２】
因みに、このような高通気性の低反発ポリウレタンフォームとしては、例えば、一般の低反発ポリウレタンフォームの樹脂成分として配合処方されているポリオール成分とポリイソシアネート化合物のうち、ポリオール成分について、高分子量ポリオールに低分子量多価アルコールを添加した混合ポリオールとし、この混合ポリオール成分とポリイソシアネート化合物とを反応させて成形することができる。
【００２３】
尚、低反発ポリウレタンフォームの代わりに、硬さが７５Ｎ以下のソフトポリウレタンフォームを使用するようにしても良く、このような低反発ポリウレタンフォームまたはソフトポリウレタンフォームを使用することにより、感触性を良好にするとともに、荷重を分散して頭部や首筋に圧迫感が生じないようにしている。
【００２４】
そして、このようなクッション層３を芯材２の上下面に接着等によって積層一体化し、周囲に袋状の側生地４を被せる。
【００２５】
前記側生地４は、本実施例では、ソフトな感触で柔らかい肌触りが得られる細目のパイル織物としており、上記のように、クッション層３の上から包み込むように装着されている。
【００２６】
以上のような枕１の作用等について説明する。
まず、空気取り入れ口７から所望量の空気を注入し、芯材２がある程度まで膨らむと、栓体８によって空気取り入れ口７を塞ぐ。
すると、枕１の高さは、芯材２の膨張度によって左右されるため、枕１の高さ調整が極めて簡単である。
また、芯材２のクッション性は、内部のフォーム材６と密封空気の弾力性が相互にバランスして良好となる。
【００２７】
また、クッション層は、低反発ポリウレタンフォームまたはソフトポリウレタンフォームを使用しているため、感触性が良好であり、しかも荷重が均等に分散されて頭部や首筋に圧迫感がない。
また、本実施例のクッション層３は通気性のある素材であるため、湿気が拡散するとともに熱がこもらず、快適に使用出来る。
【００２８】
次に、図５に基づき本枕１の第２構成例について説明する。
この枕１は、芯材２として、本出願人の提案に係る特許第３０２０４１７号の気嚢体を使用するようにしており、表裏２枚の気密性シート素材５ａ、５ｂの周縁部を接合封鎖して内部を気密状にするとともに、所定箇所に空気取り入れ口７となる管を取付けて、これに栓体８を装着したものである。
そして、上下面のクッション層３については、前記例と同様に、低反発ポリウレタンフォームまたはソフトポリウレタンフォームを使用するようにしており、本実施例では、ＪＩＳ　Ｋ　６４００（１９９７）のＡ法に準拠する方法で測定した反発弾性率が１〜２０％の低反発ポリウレタンフォーム、または硬さが７５Ｎ以下のソフトポリウレタンフォームとしている。
また本実施例では、ＪＩＳ　Ｋ　６４００（１９９７）のＢ法に準拠する方法で測定した通気度が１〜４．７ｄｍ３／ｓの高通気性ポリウレタンフォームを使用している。
【００２９】
このような枕１において、空気取り入れ口７から空気を出し入れして芯材２が所定の膨張度になった時点で栓体８で封鎖すれば、枕１の高さを好みの高さに簡単に調整することが出来る。
そして、芯材２の密封空気の弾性力と、クッション層３の低反発ポリウレタンフォームまたはソフトポリウレタンフォームとの弾性力のバランスにより、頭が快適に支持される。また、実施例の場合、クッション層３のポリウレタンフォームを高通気性素材にしているため、湿気が拡散して熱がこもらず、快適である。
【００３０】
尚、本発明は以上のような実施形態に限定されるものではない。本発明の特許請求の範囲に記載した事項と実質的に同一の構成を有し、同一の作用効果を奏するものは本発明の技術的範囲に属する。
例えば枕１の形状等は任意である。
【００３１】
【発明の効果】
以上のように本発明に係る枕は、芯材の上面と下面にクッション層を積層し、芯材として、連続気泡のフォーム材の周囲に気密性シート素材を接着して密封包囲し、且つ所定部位に空気取り入れ口を設けて栓体を着脱自在にしたため、枕の高さの調整を簡単な手順で行うことが出来る。
また、クッション層を低反発ポリウレタンフォームまたはソフトポリウレタンフォームとしたため、芯材の弾性力とクッション層の弾性力のバランスによりクッション性も良好であり、荷重を均等に分散させて頭部や首筋の圧迫感を無くすことが出来る。
【００３２】
また、芯材を気嚢体から構成する場合も、枕の高さを簡単に調整出来るとともに、密封空気の弾力性とクッション材の弾性力とのバランスによってクッション性が良好である。
この際も、クッション層のポリウレタンフォームを高通気性素材にすれば、湿気が拡散されると同時に、枕に熱がこもることなく爽快感が得られる。
【図面の簡単な説明】
【図１】本発明に係る枕の第１構成例の斜視図
【図２】同枕の内部構造を示す分解斜視図
【図３】同枕の断面図
【図４】芯材の成形要領の一例の説明図
【図５】枕の第２構成例の説明図
【符号の説明】
１…枕、２…芯材、３…クッション層、５ａ、５ｂ…気密性シート素材、６…フォーム材、７…空気取り入れ口、８…栓体。
【図１】
2004089595.tif 000003
【図２】
2004089595.tif 000004
【図３】
2004089595.tif 000005
【図４】
2004089595.tif 000006
【図５】
2004089595.tif 000007